(57)【要約】【課題】初期固定性の向上を図るとともに、大腿骨への挿入作業及び大腿骨からの抜去作業を容易にする。【解決手段】一対の前後面（１２、１３）は、大腿骨に埋植された状態で近位部側に配置される一対の近位部側前後面（１６、１７）と遠位部側に配置される一対の遠位部側前後面（１８、１９）とを有する。一対の近位部側前後面（１６、１７）と一対の遠位部側前後面（１８、１９）とは、軸方向に対する傾きが異なる面として形成されている。一対の近位部側前後面（１６、１７）の各面と一対の遠位部側前後面（１８、１９）の各面とを区画する一対の境界線（２０、２１）には、内側から外側に向かって延びるとともに、軸方向と垂直な方向に対して傾く方向に延びる部分が含まれている。【選択図】        図３
2010051504.tif 000002
【特許請求の範囲】
【請求項１】
人工股関節において、大腿骨に一端側が埋植される棒状に形成されたステム部材として用いられる、人工股関節用コンポーネントであって、
大腿骨に埋植された状態で人体の前面側及び後面側に向くように配置される一対の前後面と、大腿骨に埋植された状態で人体の左右方向における内側及び外側に向くように配置される一対の内外側面と、が形成され、
前記一対の前後面は、大腿骨に埋植された状態で近位部側に配置される一対の近位部側前後面と遠位部側に配置される一対の遠位部側前後面とを有し、前記一対の近位部側前後面と前記一対の遠位部側前後面とは、前記ステム部材における棒状に延びる方向である軸方向に対する傾きが異なる面として形成され、
前記一対の近位部側前後面の各面と前記一対の遠位部側前後面の各面とを区画する一対の境界線には、前記内側から前記外側に向かって延びるとともに、前記軸方向と垂直な方向に対して傾く方向に延びる部分が含まれていることを特徴とする、人工股関節用コンポーネント。
【請求項２】
請求項１に記載の人工股関節用コンポーネントであって、
前記一対の遠位部側前後面よりも前記一対の近位部側前後面の方が、前記軸方向に対する傾きが大きいことを特徴とする、人工股関節用コンポーネント。
【請求項３】
請求項１又は請求項２に記載の人工股関節用コンポーネントであって、
前記一対の境界線には、前記内側から前記外側に向かって延びるとともに、前記軸方向と垂直な方向に対して近位部側から遠位部側に向かう方向に傾いて延びる部分が含まれていることを特徴とする、人工股関節用コンポーネント。
【請求項４】
請求項１乃至請求項３のいずれか１項に記載の人工股関節用コンポーネントであって、
前記一対の境界線には、前記内側から前記外側に向かって当該一対の境界線間の距離が広がりながら延びるとともに、前記軸方向と垂直な方向に対して傾く方向に延びる部分が含まれていることを特徴とする、人工股関節用コンポーネント。
【請求項５】
請求項１乃至請求項４のいずれか１項に記載の人工股関節用コンポーネントであって、
前記一対の内外側面における前記内側に向くように配置される内側面には、近位部側に向かって且つ前記内側に向かって円弧状に延びる曲面が形成されていることを特徴とする、人工股関節用コンポーネント。
【請求項６】
請求項１乃至請求項５のいずれか１項に記載の人工股関節用コンポーネントであって、
前記一対の内外側面における前記外側に向くように配置される外側面の近位部側の端部は、円弧状の曲面部分として形成されていることを特徴とする、人工股関節用コンポーネント。
【請求項７】
請求項１乃至請求項６のいずれか１項に記載の人工股関節用コンポーネントであって、
前記一対の内外側面における前記内側に向くように配置される内側面及び前記外側に向くよう配置される外側面のうちの少なくともいずれかには、前記軸方向に沿って延びるように形成された溝が設けられていることを特徴とする、人工股関節用コンポーネント。
【請求項８】
請求項１乃至請求項７のいずれか１項に記載の人工股関節用コンポーネントであって、
前記一対の内外側面における前記内側に向くように配置される内側面及び前記外側に向くよう配置される外側面のうちの少なくともいずれかには、前記前面側及び前記後面側の縁部分において前記軸方向に沿ってエッジ状に延びるように形成された突起部が設けられていることを特徴とする、人工股関節用コンポーネント。
【発明の詳細な説明】
【技術分野】
【０００１】
本発明は、人工股関節において大腿骨に一端側が埋植される棒状に形成されたステム部材として用いられる人工股関節用コンポーネントに関する。
【背景技術】
【０００２】
従来より、変形性股関節症や慢性関節リウマチなどの疾患によって股関節における大腿骨に異常が認められた患者に対して、人工股関節が適用される手術が行われている。このような手術として、大腿骨の臼蓋側に配置されてボール状に形成された骨頭ボール部材と、大腿骨に一端側が埋植される棒状に形成されたステム部材としての人工股関節用コンポーネントとを有する人工股関節で置換する人工股関節置換術（ＴＨＡ：Ｔｏｔａｌ  Ｈｉｐ  Ａｒｔｈｒｏｐｌａｓｔｙ）が行われている。
【０００３】
上述のように人工股関節においてステム部材として用いられる人工股関節用コンポーネントとして、特許文献１に開示されたものが知られている。特許文献１に開示された人工股関節用コンポーネントは、大腿骨に埋植された状態で人体の前面側及び後面側に向くよう配置される一対の前後面と、大腿骨に埋植された状態で人体の左右方向における内側及び外側に向くように配置される一対の内外側面と、が形成されている。そして、この人工股関節用コンポーネントは、一対の前後面と一対の内外側面とが形成された略矩形の断面を備えるよう構成されている。これにより、この人工股関節用コンポーネントは、大腿骨に埋植された初期の段階においては、略矩形の断面で皮質骨に対して噛み込むようにして骨内で固定されることが意図されている。
【０００４】
特許文献１に開示の人工股関節用コンポーネントは、略矩形の断面での噛み込み作用によって、大腿骨に埋植された初期の段階における骨内での固定性能（以下、「初期固定性」という）を確保しようとするものである。しかしながら、特許文献１の人工股関節用コンポーネントに対しては、初期固定性の更なる向上が求められている。そこで、初期固定性の向上を図ることを目的とした人工股関節用コンポーネントとして、特許文献２に開示されたものが知られている。特許文献２においては、一対の前後面に凹凸形状が形成されるとともに、一対の内外側面のうち人体の左右方向における外側に向くように配置される外側面の近位部側において大きく外側に張り出した部分が形成された人工股関節用コンポーネントが開示されている。この人工股関節用コンポーネントでは、このように一対の前後面の凹凸形状と外側面の大きな張り出し部分とが設けられることで、初期固定性の向上が図られている。尚、以下の説明においては、人体において相対的に心臓に近い側に位置することを「近位」といい、遠い側に位置することを「遠位」という。
【０００５】
【特許文献１】米国特許第５１５６６２７号明細書
【特許文献２】欧州特許出願公開第ＥＰ１０７０４９０Ａ１号明細書
【発明の開示】
【発明が解決しようとする課題】
【０００６】
人工股関節置換術において、大腿骨に人工股関節用コンポーネントを埋植する際には、大腿骨の髄腔部に対して、手術用のやすり（ラスプ）やのみ等の医療機器を用いて穴を形成する処置が行われ、この穴に対して人工股関節用コンポーネントが挿入される。しかしながら、上述した特許文献２に開示の人工股関節用コンポーネントの場合、一対の前後面に凹凸形状が設けられ、更に、外側面に外側へ大きく張り出す張り出し部分が設けられているため、大腿骨の髄腔部に形成した穴に挿入する作業が困難になり易い。そして、大腿骨の髄腔部へ穴を形成する際に、一対の前後面の凹凸形状や外側面の大きな張り出し部分に対応した形状にする必要があるため、場合によっては術中に大腿骨の折損を招いてしまう虞もある。また、人工股関節置換術が行われた後、感染症などを発症した場合、人工股関節用コンポーネントを抜去する手術が必要となる。この場合、人工股関節用コンポーネントに一対の前後面の凹凸形状や外側面の大きな張り出し部分が存在すると、これらの形状構成が抜去作業を妨げる要因となり、抜去作業において相当な手間を要することになってしまうという問題がある。
【０００７】
本発明は、上記実情に鑑みることにより、初期固定性の向上を図ることができるとともに、大腿骨への挿入作業及び大腿骨からの抜去作業を容易にすることができる人工股関節用コンポーネントを提供することを目的とする。
【課題を解決するための手段】
【０００８】
上記目的を達成するための第１発明に係る人工股関節用コンポーネントは、人工股関節において大腿骨に一端側が埋植される棒状に形成されたステム部材として用いられる人工股関節用コンポーネントであって、大腿骨に埋植された状態で人体の前面側及び後面側に向くように配置される一対の前後面と、大腿骨に埋植された状態で人体の左右方向における内側及び外側に向くように配置される一対の内外側面と、が形成されている。そして、第１発明に係る人工股関節用コンポーネントは、前記一対の前後面は、大腿骨に埋植された状態で近位部側に配置される一対の近位部側前後面と遠位部側に配置される一対の遠位部側前後面とを有し、前記一対の近位部側前後面と前記一対の遠位部側前後面とは、前記ステム部材における棒状に延びる方向である軸方向に対する傾きが異なる面として形成され、前記一対の近位部側前後面の各面と前記一対の遠位部側前後面の各面とを区画する一対の境界線には、前記内側から前記外側に向かって延びるとともに、前記軸方向と垂直な方向に対して傾く方向に延びる部分が含まれていることを特徴とする。
【０００９】
この発明によると、一対の前後面と一対の内外側面とが形成されることで、人工股関節用コンポーネントの断面が略矩形に形成される。そして、一対の前後面は一対の近位部側前後面と一対の遠位部側前後面とで構成され、これらは軸方向に対する傾きが異なる面として形成される。このため、一対の前後面が一様な傾きの面として形成される場合に比して、髄腔部に形成した穴に沿って沈下しにくくなり、軸方向における位置の安定性であるシンキング抵抗性を大幅に向上させることができる。また、一対の近位部側前後面と一対の遠位部側前後面との軸方向に対する傾きが異なることに加え、これらの各面を区画する一対の境界線には軸方向と垂直な方向に対して傾く方向に延びる部分が含まれるように形成されている。このため、傾きが異なるとともに斜めに交差する面の抵抗により、シンキング抵抗性の大幅な向上に加え、軸方向を中心とした回転方向における位置の安定性である回旋抵抗性も十分に確保することができる。これにより、初期固定性の指標であるシンキング抵抗性と回旋抵抗性とにおいて向上を図ることができ、初期固定性の向上を図ることができる。
【００１０】
そして、上述のように、本発明の人工股関節用コンポーネントは、傾きが異なるとともに斜めに交差する面を含んで構成された一対の前後面によって初期固定性が向上するように構成されている。このため、大腿骨の髄腔部に形成した穴に人工股関節用コンポーネントを挿入する作業を困難とするような形状構成（従来技術におけるような一対の前後面の凹凸形状や外側面の大きな張り出し部分などの形状構成）が設けられることもない。これにより、人工股関節用コンポーネントの大腿骨への挿入作業を容易に行うことができる。また、髄腔部に穴を形成する際には、傾きが異なり斜めに交差する一対の前後面に対応した形状の穴を形成すればよく、穴の形成作業が容易となり、術中に大腿骨の折損を招いてしまう虞も抑制できる。そして、初期固定性を向上させる一対の前後面には、人工股関節用コンポーネントを大腿骨から抜去する作業を手間を要する作業としてしまうような形状構成（即ち、従来技術におけるような一対の前後面の凹凸形状や外側面の大きな張り出し部分などの形状構成）が設けられていない。このため、人工股関節用コンポーネントの大腿骨からの抜去作業を容易に行うことができる。
【００１１】
従って、本発明によると、初期固定性の向上を図ることができるとともに、大腿骨への挿入作業及び大腿骨からの抜去作業を容易にすることができる人工股関節用コンポーネントを提供することができる。
【００１２】
第２発明に係る人工股関節用コンポーネントは、第１発明の人工股関節用コンポーネントにおいて、前記一対の遠位部側前後面よりも前記一対の近位部側前後面の方が、前記軸方向に対する傾きが大きいことを特徴とする。
【００１３】
この発明によると、一対の遠位部側前面よりも一対の近位部側前後面の方が軸方向に対する傾きが大きくなるように形成されているため、遠位部側よりも近位部側において断面積がより大きく拡大する形状の人工股関節用コンポーネントを構成することができる。一方、大腿骨の髄腔部は、一般的に、遠位部側から近位部側にかけて面積の広がる形態が多いため、遠位部側よりも近位部側の方がより拡大する断面の人工股関節用コンポーネントを用いることで、髄腔部の形態により適合した形状の人工股関節用コンポーネントを実現し易くなり、より初期固定性を向上させることができる。
【００１４】
第３発明に係る人工股関節用コンポーネントは、第１発明又は第２発明の人工股関節用コンポーネントにおいて、前記一対の境界線には、前記内側から前記外側に向かって延びるとともに、前記軸方向と垂直な方向に対して近位部側から遠位部側に向かう方向に傾いて延びる部分が含まれていることを特徴とする。
【００１５】
この発明によると、一対の境界線に内側から外側に向かって近位部側から遠位部側に傾くように延びる部分が含まれているため、外側において一対の近位部側前後面の面積が拡大する形状の人工股関節用コンポーネントを構成することができる。一方、大腿骨の髄腔部は、一般的に、近位部側において外側にかけて面積の広がる形態が多いため、外側において一対の近位部側前後面の面積が拡大する人工股関節用コンポーネントを用いることで、髄腔部の形態により適合した形状の人工股関節用コンポーネントを実現し易くなり、より初期固定性を向上させることができる。
【００１６】
第４発明に係る人工股関節用コンポーネントは、第１発明乃至第３発明のいずれかの人工股関節用コンポーネントにおいて、前記一対の境界線には、前記内側から前記外側に向かって当該一対の境界線間の距離が広がりながら延びるとともに、前記軸方向と垂直な方向に対して傾く方向に延びる部分が含まれていることを特徴とする。
【００１７】
この発明によると、一対の境界線に内側から外側に向かってこの一対の境界線間の距離が広がりながら傾いて延びる部分が含まれているため、内側よりも外側において断面積がより大きく拡大する形状の人工股関節用コンポーネントを構成することができる。一方、大腿骨の髄腔部は、一般的に、内側から外側にかけて面積の広がる形態が多いため、内側よりも外側の方がより拡大する断面の人工股関節用コンポーネントを用いることで、髄腔部の形態により適合した形状の人工股関節用コンポーネントを実現し易くなり、より初期固定性を向上させることができる。
【００１８】
第５発明に係る人工股関節用コンポーネントは、第１発明乃至第４発明のいずれかの人工股関節用コンポーネントにおいて、前記一対の内外側面における前記内側に向くように配置される内側面には、近位部側に向かって且つ前記内側に向かって円弧状に延びる曲面が形成されていることを特徴とする。
【００１９】
この発明によると、内側面に、近位部側に向かって且つ内側に向かって円弧状に延びる曲面が形成されているため、人工股関節用コンポーネントを大腿骨に挿入した際に、大腿骨における近位部側の内側に応力が集中してしまうことを抑制できる。これにより、大腿骨における近位部側で内側に存在する薄い皮質骨が割れてしまうことを抑制することができる。
【００２０】
第６発明に係る人工股関節用コンポーネントは、第１発明乃至第５発明のいずれかの人工股関節用コンポーネントにおいて、前記一対の内外側面における前記外側に向くように配置される外側面の近位部側の端部は、円弧状の曲面部分として形成されていることを特徴とする。
【００２１】
この発明によると、外側面の近位部側の端部が円弧状の曲面部分として形成されているため、大腿骨に対する人工股関節用コンポーネントの挿入作業及び抜去作業を行う際に、人工股関節用コンポーネントと大腿骨とが干渉してしまうことを抑制することができる。これにより、大腿骨に対する人工股関節用コンポーネントの挿入作業及び抜去作業をより容易にすることができ、作業効率を向上させることができる。
【００２２】
第７発明に係る人工股関節用コンポーネントは、第１発明乃至第６発明のいずれかの人工股関節用コンポーネントにおいて、前記一対の内外側面における前記内側に向くように配置される内側面及び前記外側に向くよう配置される外側面のうちの少なくともいずれかには、前記軸方向に沿って延びるように形成された溝が設けられていることを特徴とする。
【００２３】
この発明によると、内側面及び外側面の少なくともいずれかにおいて軸方向に沿って延びる溝が設けられているため、この溝によって皮質骨と噛み合い易くなり、回旋抵抗性を更に向上させることができる。また、この溝は内側面又は外側面の軸方向に沿って形成されているため、人工股関節用コンポーネントの挿入方向及び抜去方向において大腿骨と干渉することも抑制され、大腿骨に対する人工股関節用コンポーネントの挿入作業や抜去作業も容易に行うことができる。
【００２４】
第８発明に係る人工股関節用コンポーネントは、第１発明乃至第７発明のいずれかの人工股関節用コンポーネントにおいて、前記一対の内外側面における前記内側に向くように配置される内側面及び前記外側に向くよう配置される外側面のうちの少なくともいずれかには、前記前面側及び前記後面側の縁部分において前記軸方向に沿ってエッジ状に延びるように形成された突起部が設けられていることを特徴とする。
【００２５】
この発明によると、内側面及び外側面の少なくともいずれかにおいて前面側及び後面側の縁部分に軸方向に沿って延びるエッジ状の突起部が設けられているため、この突起部によって皮質骨と噛み合い易くなり、回旋抵抗性を更に向上させることができる。また、この突起部は内側面又は外側面の軸方向に沿って形成されているため、人工股関節用コンポーネントの挿入方向及び抜去方向において大腿骨と干渉することも抑制され、大腿骨に対する人工股関節用コンポーネントの挿入作業や抜去作業も容易に行うことができる。
【発明の効果】
【００２６】
本発明によると、初期固定性の向上を図ることができるとともに、大腿骨への挿入作業及び大腿骨からの抜去作業を容易にすることができる人工股関節用コンポーネントを提供することができる。
【発明を実施するための最良の形態】
【００２７】
以下、本発明を実施するための形態について図面を参照しつつ説明する。尚、本発明は、人工股関節において大腿骨に一端側が埋植される棒状に形成されたステム部材として用いられる人工股関節用コンポーネントとして広く適用することができるものである。
【００２８】
（第１実施形態）
図１は、本発明の第１実施形態に係る人工股関節用コンポーネント１を示す断面図であり、大腿骨１００及び骨盤１０１の断面の一部とともに示している。人工股関節用コンポーネント１は、大腿骨１００の髄腔部１００ａに一端側が埋植される棒状に形成されたステム部材として構成されている。この人工股関節用コンポーネント１は、骨頭ボール部材１０２と組み合わされた状態で人工股関節として適用される。尚、人工股関節置換術においては、髄腔部１００ａには手術用のやすりやのみを用いて形状が整えられた穴が形成され、この穴に対して、人工股関節用コンポーネント１が挿入されて埋植される。一方、骨頭ボール部材１０２は、大腿骨１００において骨盤１０１の臼蓋１０１ａ側に配置される。そして、骨頭ボール部材１０２は、臼蓋１０１ａに配置されるとともに外側半球殻部材１０３ａ及び内側半球殻部材１０３ｂを有する二層構造の臼蓋カップ１０３に対して、外形の球面部分において摺動するように配置される。
【００２９】
図２は、人工股関節用コンポーネント１の斜視図を示したものである。図３は、人工股関節用コンポーネント１の左側面図（図３（ａ））、正面図（図３（ｂ））、図３（ｂ）のＡ−Ａ線矢視断面図（図３（ｃ））、図３（ｂ）のＢ−Ｂ線矢視断面図（図３（ｄ））、及び右側面図（図３（ｅ））を示したものである。尚、図２及び図３に示す人工股関節用コンポーネント１は、左股関節用の人工股関節において用いられるものとして説明する。
【００３０】
図２及び図３に示す人工股関節用コンポーネント１は、前述のように棒状のステム部材として形成されており、ネック部１１、一対の前後面（１２、１３）、一対の内外側面（１４、１５）が設けられている。この人工股関節用コンポーネント１は、図３（ｃ）及び図３（ｄ）によく示すように、人工股関節用コンポーネント１における棒状に延びる方向である軸方向を示す軸中心線Ｃ（図３（ａ）及び図３（ｅ）にて一点鎖線で示す）と垂直な断面が略矩形に形成されている。尚、人工股関節用コンポーネント１は、生体埋植用に医療機器としての認可承認を得たチタン合金、コバルトクロム合金、ステンレス鋼などの金属により形成されている。そして、人工股関節用コンポーネント１における一対の前後面（１２、１３）及び一対の内外側面（１４、１５）には、その表面にアパタイトを生体内で形成させ易くするための処理としてのアルカリ加熱処理と、ブラスト処理とが施されている。
【００３１】
図１乃至図３に示すように、ネック部１１は、一端側が大腿骨１００に埋植される人工股関節用コンポーネント１の他端側の端部において突出するよう設けられている。そして、人工股関節用コンポーネント１が人工股関節において用いられる場合には、ネック部１１に骨頭ボール部材１０２が嵌合される。尚、ネック部１１は、人工股関節用コンポーネント１の他端側の端部において、人工股関節用コンポーネント１が大腿骨１００に埋植された状態で、内側に向かって傾いて突出するように設けられている。
【００３２】
図２及び図３に示すように、一対の前後面（１２、１３）は、人工股関節用コンポーネント１が大腿骨１００に埋植された状態（図１参照）で、人体の前面側及び後面側に向くように配置される。そして、一対の前後面（１２、１３）は、人体の前面側に配置されるテーパ状前面１２と人体の後面側に配置されるテーパ状後面１３とで構成されている。テーパ状前面１２及びテーパ状後面１３は、軸中心線Ｃに対する傾きが異なる２つの平坦なテーパ状の面が組み合わされて構成される面としてそれぞれ構成されている。
【００３３】
また、一対の前後面（１２、１３）は、一対の近位部側前後面（１６、１７）と一対の遠位部側前後面（１８、１９）とを備えて構成されている。一対の近位部側前後面（１６、１７）は、大腿骨１００に埋植された状態で一対の前後面（１２、１３）における近位部側に配置される。そして、一対の近位部側前後面（１６、１７）は、人体の前面側に配置される近位部側テーパ状前面１６と人体の後面側に配置される近位部側テーパ状後面１７とで構成されている。一方、一対の遠位部側前後面（１８、１９）は、大腿骨１００に埋植された状態で一対の前後面（１２、１３）における遠位部側に配置される。そして、一対の遠位部側前後面（１８、１９）は、人体の前面側に配置される遠位部側テーパ状前面１８と人体の後面側に配置される遠位部側テーパ状後面１９とで構成されている。尚、上述の配置構成のため、テーパ状前面１２は近位部側テーパ状前面１６と遠位部側テーパ状前面１８とで構成され、テーパ状後面１３は近位部側テーパ状後面１７と遠位部側テーパ状後面１９とで構成されることになる。
【００３４】
図３によく示すように、近位部側テーパ状前面１６及び近位部側テーパ状後面１７は、軸中心線Ｃを中心として線対称の位置に配置されており、軸中心線Ｃに対して同一の角度傾いた平坦なテーパ状の面としてそれぞれ構成されている。図３（ｅ）では、近位部側テーパ状前面１６の軸中心線Ｃに対する傾きの角度Ｄを示しているが、近位部側テーパ状後面１７も軸中心線Ｃに対して同一角度（角度Ｄ）傾くように形成されている。そして、この角度Ｄの大きさは、例えば４°に設定され、２°から８°の範囲において設定される。一方、遠位部側テーパ状前面１８及び遠位部側テーパ状後面１９は、軸中心線Ｃを中心として線対称の位置に配置されており、軸中心線Ｃに対して同一の角度傾いた平坦なテーパ状の面としてそれぞれ構成されている。図３（ｅ）では、遠位部側テーパ状前面１８の軸中心線Ｃに対する傾きの角度Ｅを示しているが、遠位部側テーパ状後面１９も軸中心線Ｃに対して同一角度（角度Ｅ）傾くように形成されている。そして、この角度Ｅの大きさは、例えば、２°に設定され、０°から３°の範囲において設定される。
【００３５】
尚、上述した角度Ｄの設定範囲（２°から８°）及び角度Ｅの設定範囲（０°から３°）は、大腿骨の髄腔部の形状のばらつきを考慮して設定されたものである。髄腔部の形状は、個人によってばらつきがあるが、一般的に近位部側で面積が大きく遠位部側で面積が小さい傾向にあり、髄腔部の形状を円錐状と仮定してばらつきを整理することができる。そして、上述した設定範囲で設定することで、髄腔部の形状に適合させた状態で人工股関節用コンポーネント１を埋植することができる。
【００３６】
また、上述のように角度Ｄと角度Ｅとが設定されていることで、一対の近位部側前後面（１６、１７）と一対の遠位部側前後面（１８、１９）とは、軸中心線Ｃに対する傾き（軸方向に対する傾き）が異なる面として形成されている。また、角度Ｄは角度Ｅよりも大きい角度となるように設定される。これにより、一対の遠位部側前後面（１８、１９）よりも一対の近位部側前後面（１６、１７）の方が、軸中心線Ｃに対する傾きが大きく設定されている。
【００３７】
また、図２及び図３に示すように、一対の前後面（１２、１３）には、一対の近位部側前後面（１６、１７）の各面（近位部側テーパ状前面１６、近位部側テーパ状後面１７）と一対の遠位部側前後面（１８、１９）の各面（遠位部側テーパ状前面１８、遠位部側テーパ状後面１９）とを区画する一対の境界線（２０、２１）が形成されている。尚、図３（ｅ）では、一対の境界線（２０、２１）の位置を点で図示している。一対の境界線（２０、２１）は、前面側境界線２０と後面側境界線２１とで構成されている。前面側境界線２０は近位部側テーパ状前面１６と遠位部側テーパ状前面１８とを区画しており、後面側境界線２１は近位部側テーパ状後面１７と遠位部側テーパ状後面１９とを区画している。そして、一対の境界線（２０、２１）はそれぞれ、人体の左右方向における内側から外側に向かって延びるとともに、軸中心線Ｃと垂直な方向（軸方向と垂直な方向）に対して傾く方向であって近位部側から遠位部側に向かう方向に傾いて直線状に延びるよう形成されている。
【００３８】
図２及び図３に示すように、一対の内外側面（１４、１５）は、人工股関節用コンポーネント１が大腿骨１００に埋植された状態で、人体の左右方向における内側及び外側に向くように配置される。そして、一対の内外側面（１４、１５）は内側面１４と外側面１５とで構成され、内側面１４は人体左右方向における内側に向くように配置され、外側面１５は人体左右方向における外側に向くように配置される。また、内側面１４には、近位部側に向かって且つ人体左右方向における内側に向かって円弧状に延びる曲面２２が形成されている。尚、この曲面２２は、軸中心線Ｃと垂直な方向においても円弧状に形成されている。一方、外側面１５は、その近位部側の端部が円弧状に湾曲した曲面部分２３として形成されている。
【００３９】
ここで、一対の前後面（１２、１３）と一対の境界線（２０、２１）との関係について、更に詳しく説明する。図４は、人工股関節用コンポーネント１の軸方向における両端部分を除いた部分を模式的に示した仮想のコンポーネントを示したものであり、その斜視図（図４（ａ））と透視図（図４（ｂ））とを示している。また、図５は、図４（ａ）に示す仮想のコンポーネントの平面図（図５（ａ））、左側面図（図５（ｂ））、正面図（図５（ｃ））、右側面図（図５（ｄ））、及び底面図（図５（ｅ））を示したものである。尚、人工股関節用コンポーネント１に対応する要素には同一の符号を付している。
【００４０】
図４及び図５に示すように、一対の境界線（２０、２１）は、互いに平行に配置され、人体の内側から外側に向かって軸中心線Ｃと垂直な断面に対して近位部側から遠位部側に傾くように延びている。そして、この一対の境界線（２０、２１）を境として、軸中心線Ｃに対して近位部側に向かって大きく広がるように傾く一対の近位部側前後面（１６、１７）と、軸中心線Ｃに対して近位部側に向かって小さく広がるように傾く一対の遠位部側前後面（１８、１９）とが配置されている。このため、軸中心線Ｃに対して垂直な断面形状は、一対の近位部側前後面（１６、１７）と一対の内外側面（１４、１５）とで周囲が囲まれる領域では幅の広い台形状となり、一対の遠位部側前後面（１８、１９）と一対の内外側面（１４、１５）とで囲まれる領域では幅の狭い台形状となる。そして、いずれの断面形状ともに、人体左右方向における外側に向かって広がった台形状となる。
【００４１】
尚、一対の前後面（１２、１３）と一対の境界線（２０、２１）との関係について、図４及び図５にて説明した構成とは異なる構成で人工股関節用コンポーネント１を変更して実施することもできる。図６は、人工股関節用コンポーネント１の変形例において、その軸方向における両端部分を除いた部分を模式的に示した仮想のコンポーネントを示したものであり、その斜視図（図６（ａ））と透視図（図６（ｂ））とを示している。また、図７は、図６（ａ）に示す仮想のコンポーネントの平面図（図７（ａ））、左側面図（図７（ｂ））、正面図（図７（ｃ））、右側面図（図７（ｄ））、及び底面図（図７（ｅ））を示したものである。尚、図６及び図７に示す変更例において、人工股関節用コンポーネント１に対応する要素には同一の符号を付している。
【００４２】
図６及び図７に示す変形例においては、一対の境界線（２０、２１）は、人体左右方向における内側から外側に向かってこの一対の境界線（２０、２１）間の距離が広がりながら延びるとともに、軸中心線Ｃと垂直な方向に対して近位部側から遠位部側に傾くように延びている。そして、この一対の境界線（２０、２１）を境界として、軸中心線Ｃに対して近位部側に向かって大きく広がるように傾く一対の近位部側前後面（１６、１７）と、軸中心線Ｃに対して近位部側に向かって小さく広がるように傾く一対の遠位部側前後面（１８、１９）とが配置されている。この変形例においても、軸中心線Ｃに対して垂直な断面形状は、一対の近位部側前後面（１６、１７）と一対の内外側面（１４、１５）とで周囲が囲まれる領域では幅の広い台形状となり、一対の遠位部側前後面（１８、１９）と一対の内外側面（１４、１５）とで囲まれる領域では幅の狭い台形状となる。そして、いずれの断面形状ともに、人体左右方向における外側に向かって広がった台形状となる。
【００４３】
以上説明した人工股関節用コンポーネント１によると、一対の前後面（１２、１３）と一対の内外側面（１４、１５）とが形成されることで、人工股関節用コンポーネント１の断面が略矩形に形成される。そして、一対の前後面（１２、１３）は一対の近位部側前後面（１６、１７）と一対の遠位部側前後面（１８、１９）とで構成され、これらは軸方向に対する傾きが異なる面として形成される。このため、一対の前後面（１２、１３）が一様な傾きの面として形成される場合に比して、髄腔部１００ａに形成した穴に沿って沈下しにくくなり、軸方向における位置の安定性であるシンキング抵抗性を大幅に向上させることができる。また、一対の近位部側前後面（１６、１７）と一対の遠位部側前後面（１８、１９）との軸方向に対する傾きが異なることに加え、これらの各面（１６、１７、１８、１９）を区画する一対の境界線（２０、２１）は軸方向と垂直な方向に対して傾く方向に延びるように形成されている。このため、傾きが異なるとともに斜めに交差する面の抵抗により、シンキング抵抗性の大幅な向上に加え、軸方向を中心とした回転方向における位置の安定性である回旋抵抗性も十分に確保することができる。これにより、初期固定性の指標であるシンキング抵抗性と回旋抵抗性とにおいて向上を図ることができ、初期固定性の向上を図ることができる。
【００４４】
そして、上述のように、人工股関節用コンポーネント１は、傾きが異なるとともに斜めに交差する面を含んで構成された一対の前後面（１２、１３）によって初期固定性が向上するように構成されている。このため、大腿骨１００の髄腔部１００ａに形成した穴に人工股関節用コンポーネント１を挿入する作業を困難とするような形状構成（従来技術におけるような一対の前後面の凹凸形状や外側面の大きな張り出し部分などの形状構成）が設けられることもない。これにより、人工股関節用コンポーネント１の大腿骨１００への挿入作業を容易に行うことができる。また、髄腔部１００ａに穴を形成する際には、傾きが異なり斜めに交差する一対の前後面（１２、１３）に対応した形状の穴を形成すればよく、穴の形成作業が容易となり、術中に大腿骨１００の折損を招いてしまう虞も抑制できる。そして、初期固定性を向上させる一対の前後面（１２、１３）には、人工股関節用コンポーネント１を大腿骨１００から抜去する作業を手間を要する作業としてしまうような形状構成（即ち、従来技術におけるような一対の前後面の凹凸形状や外側面の大きな張り出し部分などの形状構成）が設けられていない。このため、人工股関節用コンポーネント１の大腿骨１００からの抜去作業を容易に行うことができる。
【００４５】
従って、本実施形態によると、初期固定性の向上を図ることができるとともに、大腿骨への挿入作業や大腿骨からの抜去作業を容易にすることができる人工股関節用コンポーネント１を提供することができる。
【００４６】
また、人工股関節用コンポーネント１によると、一対の遠位部側前面（１８、１９）よりも一対の近位部側前後面（１６、１７）の方が軸方向に対する傾きが大きくなるように形成されているため、遠位部側よりも近位部側において断面積がより大きく拡大する形状の人工股関節用コンポーネント１を構成することができる。一方、大腿骨の髄腔部は、一般的に、遠位部側から近位部側にかけて面積の広がる形態が多いため、遠位部側よりも近位部側の方がより拡大する断面の人工股関節用コンポーネント１を用いることで、髄腔部の形態により適合した形状の人工股関節用コンポーネントを実現し易くなり、より初期固定性を向上させることができる。
【００４７】
また、人工股関節用コンポーネント１によると、一対の境界線（２０、２１）が内側から外側に向かって近位部側から遠位部側に傾くように延びるよう形成されているため、外側において一対の近位部側前後面（１６、１７）の面積が拡大する形状の人工股関節用コンポーネント１を構成することができる。一方、大腿骨の髄腔部は、一般的に、近位部側において外側にかけて面積の広がる形態が多いため、外側において一対の近位部側前後面（１６、１７）の面積が拡大する人工股関節用コンポーネント１を用いることで、髄腔部の形態により適合した形状の人工股関節用コンポーネントを実現し易くなり、より初期固定性を向上させることができる。
【００４８】
また、図６及び図７において説明した人工股関節用コンポーネント１の変形例によると、一対の境界線（２０、２１）が内側から外側に向かってこの一対の境界線（２０、２１）間の距離が広がりながら傾いて延びるように形成されているため、内側よりも外側において断面積がより大きく拡大する形状の人工股関節用コンポーネントを構成することができる。一方、大腿骨の髄腔部は、一般的に、内側から外側にかけて面積の広がる形態が多いため、内側よりも外側の方がより拡大する断面の人工股関節用コンポーネントを用いることで、髄腔部の形態により適合した形状の人工股関節用コンポーネントを実現し易くなり、より初期固定性を向上させることができる。
【００４９】
また、人工股関節用コンポーネント１によると、内側面１４に、近位部側に向かって且つ内側に向かって円弧状に延びる曲面２２が形成されているため、人工股関節用コンポーネント１を大腿骨１００に挿入した際に、大腿骨１００における近位部側の内側に応力が集中してしまうことを抑制できる。これにより、大腿骨１００における近位部側で内側に存在する薄い皮質骨が割れてしまうことを抑制することができる。
【００５０】
また、人工股関節用コンポーネント１によると、外側面１５の近位部側の端部が円弧状の曲面部分２３として形成されているため、大腿骨１００に対する人工股関節用コンポーネント１の挿入作業及び抜去作業を行う際に、人工股関節用コンポーネント１と大腿骨１００とが干渉してしまうことを抑制することができる。これにより、大腿骨１００に対する人工股関節用コンポーネント１の挿入作業及び抜去作業をより容易にすることができ、作業効率を向上させることができる。
【００５１】
尚、本願発明者は、型枠内において人工股関節用コンポーネントを硬質発砲ウレタンにて固定し、型枠に対して人工股関節用コンポーネントを押し込むシンキング抵抗性確認試験と、型枠に対して人工股関節用コンポーネントを回転させる回旋抵抗性確認試験とを実施した。尚、これらの試験は、人工股関節用コンポーネント１に対して実施するとともに、比較のため、一対の前後面に凹凸形状が形成された人工股関節用コンポーネント（比較例１）に対してと、外側面に大きな張り出し部分が形成された人工股関節用コンポーネント（比較例２）に対しても実施した。その結果、シンキング抵抗性については、人工股関節用コンポーネント１が比較例１及び比較例２よりも向上することを確認できた。また、回旋抵抗性については、人工股関節用コンポーネント１と、比較例１及び比較例２とにおいて、ほぼ同等の水準であることを確認できた。従って、人工股関節用コンポーネント１を用いることにより、大腿骨への挿入作業や大腿骨からの抜去作業を容易にすることができる構成で、初期固定性の向上を図ることができることを確認することができた。
【００５２】
（第２実施形態）
次に、本発明の第２実施形態について説明する。図８は、本発明の第２実施形態に係る人工股関節用コンポーネント２を示す斜視図である。また、図９は、人工股関節用コンポーネント２の左側面図（図９（ａ））、正面図（図９（ｂ））、図９（ｂ）のＡ−Ａ線矢視断面図（図９（ｃ））、図９（ｂ）のＢ−Ｂ線矢視断面図（図９（ｄ））、及び右側面図（図９（ｅ））を示したものである。尚、図８及び図９に示す人工股関節用コンポーネント２は、左股関節用の人工股関節において用いられるものとして説明する。
【００５３】
図８及び図９に示す人工股関節用コンポーネント２は、第１実施形態の人工股関節用コンポーネント１と同様に用いられ、人工股関節置換術によって人工股関節において適用される。そして、この人工股関節用コンポーネント２は、第１実施形態の人工股関節用コンポーネント１と同様に構成され、ネック部１１、一対の前後面（１２、１３）、一対の内外側面（１４、１５）が設けられている。但し、人工股関節用コンポーネント２は、一対の内外側面（１４、１５）に溝（２４、２５）が設けられている点において、第１実施形態の人工股関節用コンポーネント１と異なっている。以下、第１実施形態と同様の構成については図面において同一の符号を付して説明を省略し、第１実施形態と異なる構成について説明する。
【００５４】
図８及び図９に示すように、人工股関節用コンポーネント２の一対の内外側面（１４、１５）は、第１実施形態と同様に、大腿骨に埋植された状態で人体の左右方向における内側及び外側に向くように配置され、内側面１４には曲面２２が形成され、外側面１５の近位部側の端部には曲面部分２３が形成されている。しかし、人工股関節用コンポーネント２の一対の内外側面（１４、１５）には、それぞれ溝（２４、２５）が設けられている。内側面１４には内側溝２４が設けられており、外側面１５には外側溝２５が設けられている。内側溝２４及び外側溝２５は、いずれも軸中心線Ｃと垂直な断面において円弧状に凹んだ断面形状の溝として形成されている。また、内側溝２４は、内側面１４における軸方向での中心部から遠位部側の端部にかけて配置され、軸方向に沿って延びるように形成されている。一方、外側溝２５は、外側面１５における近位部側の端部から遠位部側の端部にかけて軸方向のほぼ全長に亘って配置され、軸方向に延びるように形成されている。
【００５５】
以上説明した人工股関節用コンポーネント２によると、第１実施形態の人工股関節用コンポーネント１と同様に、初期固定性の向上を図ることができるとともに、大腿骨への挿入作業及び大腿骨からの抜去作業を容易にすることができる。そして、この人工股関節用コンポーネント２によると、内側面１４及び外側面１５において軸方向に沿って延びる溝（２４、２５）が設けられているため、この溝（２４、２５）によって皮質骨と噛み合い易くなり、回旋抵抗性を更に向上させることができる。また、これらの溝（２４、２５）は内側面１４及び外側面１５の軸方向に沿って形成されているため、人工股関節用コンポーネント２の挿入方向及び抜去方向において大腿骨と干渉することも抑制され、大腿骨に対する人工股関節用コンポーネント２の挿入作業や抜去作業も容易に行うことができる。
【００５６】
（第３実施形態）
次に、本発明の第３実施形態について説明する。図１０は、本発明の第３実施形態に係る人工股関節用コンポーネント３を示す斜視図である。また、図１１は、人工股関節用コンポーネント３の左側面図（図１１（ａ））、正面図（図１１（ｂ））、図１１（ｂ）のＡ−Ａ線矢視断面図（図１１（ｃ））、図１１（ｂ）のＢ−Ｂ線矢視断面図（図１１（ｄ））、及び右側面図（図１１（ｅ））を示したものである。尚、図１０及び図１１に示す人工股関節用コンポーネント３は、左股関節用の人工股関節において用いられるものとして説明する。
【００５７】
図１０及び図１１に示す人工股関節用コンポーネント３は、第１実施形態の人工股関節用コンポーネント１と同様に用いられ、人工股関節置換術によって人工股関節において適用される。そして、この人工股関節用コンポーネント３は、第１実施形態の人工股関節用コンポーネント１と同様に構成され、ネック部１１、一対の前後面（１２、１３）、一対の内外側面（１４、１５）が設けられている。但し、人工股関節用コンポーネント３は、一対の内外側面（１４、１５）に突起部（２６、２７）が設けられている点において、第１実施形態の人工股関節用コンポーネント１と異なっている。以下、第１実施形態と同様の構成については図面において同一の符号を付して説明を省略し、第１実施形態と異なる構成について説明する。
【００５８】
図１０及び図１１に示すように、人工股関節用コンポーネント３の一対の内外側面（１４、１５）は、第１実施形態と同様に、大腿骨に埋植された状態で人体の左右方向における内側及び外側に向くように配置され、内側面１４には曲面２２が形成され、外側面１５の近位部側の端部には曲面部分２３が形成されている。しかし、人工股関節用コンポーネント３の一対の内外側面（１４、１５）には、それぞれフィン状に形成された突起部（２６、２７）が設けられている。内側面１４には内側突起部２６が設けられており、外側面１５には外側突起部２７が設けられている。内側突起部２６は、人体の前面側及び後面側における縁部分にそれぞれ設けられ、軸方向に沿ってエッジ状に伸びるように形成されている。この内側突起部２６は、内側面１４における軸方向での中心部から遠位部側の端部にかけて配置されている。一方、外側突起部２７も同様に、人体の前面側及び後面側における縁部分にそれぞれ設けられ、軸方向に沿ってエッジ状に伸びるように形成されている。この外側突起部２７は、外側面１５における軸方向での中心部から遠位部側の端部にかけて配置されている。
【００５９】
以上説明した人工股関節用コンポーネント３によると、第１実施形態の人工股関節用コンポーネント１と同様に、初期固定性の向上を図ることができるとともに、大腿骨への挿入作業及び大腿骨からの抜去作業を容易にすることができる。そして、この人工股関節用コンポーネント３によると、内側面１４及び外側面１５において前面側及び後面側の縁部分に軸方向に沿って延びるエッジ状の突起部（２６、２７）が設けられているため、この突起部（２６、２７）によって皮質骨と噛み合い易くなり、回旋抵抗性を更に向上させることができる。また、これらの突起部（２６、２７）は内側面１４及び外側面１５の軸方向に沿って形成されているため、人工股関節用コンポーネント３の挿入方向及び抜去方向において大腿骨と干渉することも抑制され、大腿骨に対する人工股関節用コンポーネント３の挿入作業や抜去作業も容易に行うことができる。
【００６０】
（第４実施形態）
次に、本発明の第４実施形態について説明する。図１２は、本発明の第４実施形態に係る人工股関節用コンポーネント４を示す斜視図である。また、図１３は、人工股関節用コンポーネント４の左側面図（図１３（ａ））、正面図（図１３（ｂ））、図１３（ｂ）のＡ−Ａ線矢視断面図（図１３（ｃ））、図１３（ｂ）のＢ−Ｂ線矢視断面図（図１３（ｄ））、及び右側面図（図１３（ｅ））を示したものである。尚、図１２及び図１３に示す人工股関節用コンポーネント４は、左股関節用の人工股関節において用いられるものとして説明する。
【００６１】
図１２及び図１３に示す人工股関節用コンポーネント４は、第１実施形態の人工股関節用コンポーネント１と同様に用いられ、人工股関節置換術によって人工股関節において適用される。そして、この人工股関節用コンポーネント４は、第１実施形態の人工股関節用コンポーネント１と同様に構成され、ネック部１１、一対の前後面（１２、１３）、一対の内外側面（１４、１５）が設けられている。但し、人工股関節用コンポーネント４は、一対の前後面（１２、１３）に設けられた一対の境界線（２８、２９）の構成において、第１実施形態の人工股関節用コンポーネント１と異なっている。以下、第１実施形態と同様の構成については図面において同一の符号を付して説明を省略し、第１実施形態と異なる構成について説明する。
【００６２】
図１２及び図１３に示すように、人工股関節用コンポーネント４の一対の前後面（１２、１３）は、第１実施形態と同様に、大腿骨に埋植された状態で人体の前面側及び後面側に向くように配置され、前面側のテーパ状前面１２と後面側のテーパ状後面１３とで構成されている。そして、テーパ状前面１２及びテーパ状後面１３は、軸中心線Ｃに対する傾きが異なる２つのテーパ状の面が組み合わされて構成される面としてそれぞれ構成されている。
【００６３】
また、人工股関節用コンポーネント４における一対の前後面（１２、１３）は、第１実施形態と同様に、一対の近位部側前後面（１６、１７）と一対の遠位部側前後面（１８、１９）とを備えて構成されている。そして、テーパ状前面１２は近位部側テーパ状前面１６と遠位部側テーパ状前面１８とで構成され、テーパ状後面１３は近位部側テーパ状後面１７と遠位部側テーパ状後面１９とで構成されている。
【００６４】
また、図１２及び図１３に示すように、人工股関節用コンポーネント４における一対の前後面（１２、１３）には、一対の近位部側前後面（１６、１７）の各面（近位部側テーパ状前面１６、近位部側テーパ状後面１７）と一対の遠位部側前後面（１８、１９）の各面（遠位部側テーパ状前面１８、遠位部側テーパ状後面１９）とを区画する一対の境界線（２８、２９）が形成されている。尚、図１３（ｅ）では、一対の境界線（２８、２９）の位置を点で図示している。一対の境界線（２８、２９）は、前面側境界線２８と後面側境界線２９とで構成されている。前面側境界線２８は近位部側テーパ状前面１６と遠位部側テーパ状前面１８とを区画しており、後面側境界線２９は近位部側テーパ状後面１７と遠位部側テーパ状後面１９とを区画している。
【００６５】
また、一対の境界線（２８、２９）にはそれぞれ、軸中心線Ｃと垂直な方向に延びる垂直部分と、人体の左右方向における内側から外側に向かって延びるとともに軸中心線Ｃと垂直な方向に対して傾く方向に直線状に延びる傾斜部分とが含まれている。尚、図１３では、前面側境界線２８についてのみ、上述の垂直部分２８ａと傾斜部分２８ｂとを図示している（図１３（ｂ）参照）。一対の境界線（２８、２９）における傾斜部分は、軸中心線Ｃと垂直な方向（軸方向と垂直な方向）に対して傾く方向であって近位部側から遠位部側に向かう方向に傾いて延びるよう形成されている。尚、このように、一対の境界線（２８、２９）が途中から傾くように形成されているため、一対の近位部側前後面（１６、１７）の各面及び一対の遠位部側前後面（１８、１９）の各面には、軸中心線Ｃと垂直な方向において僅かに湾曲した曲面部分が形成されている。
【００６６】
以上説明した人工股関節用コンポーネント４によると、一対の前後面（１２、１３）において、軸方向と垂直な方向に対して傾く方向に延びる部分が含まれた一対の境界線（２８、２９）が設けられている。このため、第１実施形態の人工股関節用コンポーネント１と同様に、初期固定性の向上を図ることができるとともに、大腿骨への挿入作業及び大腿骨からの抜去作業を容易にすることができる。
【００６７】
（第５実施形態）
次に、本発明の第５実施形態について説明する。図１４は、本発明の第５実施形態に係る人工股関節用コンポーネント５を示す斜視図である。また、図１５は、人工股関節用コンポーネント５の左側面図（図１５（ａ））、正面図（図１５（ｂ））、図１５（ｂ）のＡ−Ａ線矢視断面図（図１５（ｃ））、図１５（ｂ）のＢ−Ｂ線矢視断面図（図１５（ｄ））、及び右側面図（図１５（ｅ））を示したものである。尚、図１４及び図１５に示す人工股関節用コンポーネント５は、左股関節用の人工股関節において用いられるものとして説明する。
【００６８】
図１４及び図１５に示す人工股関節用コンポーネント５は、第１実施形態の人工股関節用コンポーネント１と同様に用いられ、人工股関節置換術によって人工股関節において適用される。そして、この人工股関節用コンポーネント５は、第１実施形態の人工股関節用コンポーネント１と同様に構成され、ネック部１１、一対の前後面（１２、１３）、一対の内外側面（１４、１５）が設けられている。但し、人工股関節用コンポーネント５は、一対の前後面（１２、１３）に設けられた一対の境界線（３０、３１）の構成において、第１実施形態の人工股関節用コンポーネント１と異なっている。以下、第１実施形態と同様の構成については図面において同一の符号を付して説明を省略し、第１実施形態と異なる構成について説明する。
【００６９】
図１４及び図１５に示すように、人工股関節用コンポーネント５の一対の前後面（１２、１３）は、第１実施形態と同様に、大腿骨に埋植された状態で人体の前面側及び後面側に向くように配置され、前面側のテーパ状前面１２と後面側のテーパ状後面１３とで構成されている。そして、テーパ状前面１２及びテーパ状後面１３は、軸中心線Ｃに対する傾きが異なる２つのテーパ状の面が組み合わされて構成される面としてそれぞれ構成されている。
【００７０】
また、人工股関節用コンポーネント５における一対の前後面（１２、１３）は、第１実施形態と同様に、一対の近位部側前後面（１６、１７）と一対の遠位部側前後面（１８、１９）とを備えて構成されている。そして、テーパ状前面１２は近位部側テーパ状前面１６と遠位部側テーパ状前面１８とで構成され、テーパ状後面１３は近位部側テーパ状後面１７と遠位部側テーパ状後面１９とで構成されている。
【００７１】
また、図１４及び図１５に示すように、人工股関節用コンポーネント５における一対の前後面（１２、１３）には、一対の近位部側前後面（１６、１７）の各面（近位部側テーパ状前面１６、近位部側テーパ状後面１７）と一対の遠位部側前後面（１８、１９）の各面（遠位部側テーパ状前面１８、遠位部側テーパ状後面１９）とを区画する一対の境界線（３０、３１）が形成されている。尚、図１５（ｅ）では、一対の境界線（３０、３１）の位置を点で図示している。一対の境界線（３０、３１）は、前面側境界線３０と後面側境界線３１とで構成されている。前面側境界線３０は近位部側テーパ状前面１６と遠位部側テーパ状前面１８とを区画しており、後面側境界線３１は近位部側テーパ状後面１７と遠位部側テーパ状後面１９とを区画している。
【００７２】
また、一対の境界線（３０、３１）はそれぞれ、人体の左右方向における内側から外側に向かって延びるとともに、軸中心線Ｃと垂直な方向に対して傾く方向であって近位部側から遠位部側に向かう方向に曲線状に湾曲しながら延びるように形成されている。尚、このように、一対の境界線（３０、３１）が湾曲しながら延びるように形成されているため、一対の近位部側前後面（１６、１７）の各面及び一対の遠位部側前後面（１８、１９）の各面には、軸中心線Ｃと垂直な方向において僅かに湾曲した曲面部分が形成されている。
【００７３】
以上説明した人工股関節用コンポーネント５によると、一対の前後面（１２、１３）において、軸方向と垂直な方向に対して傾く方向に延びる部分が含まれた一対の境界線（３０、３１）が設けられている。このため、第１実施形態の人工股関節用コンポーネント１と同様に、初期固定性の向上を図ることができるとともに、大腿骨への挿入作業や大腿骨からの抜去作業を容易にすることができる。
【００７４】
以上、本発明の実施形態について説明したが、本発明は上述の実施の形態に限られるものではなく、特許請求の範囲に記載した限りにおいて様々な変更が可能なものである。例えば、一対の近位部側前後面及び一対の遠位部側前後面の軸方向に対する傾きの角度は適宜変更して実施することができる。また、一対の境界線の軸方向に対する傾きの形態や角度、軸方向における位置については適宜変更して実施することができる。また、第２実施形態及び第３実施形態では、一対の内外側面において軸方向に沿って設けられる溝及び突起部の構成を例示したが、この通りでなくてもよく、軸方向における位置や長さ、軸方向と垂直な方向の断面形状等を種々変更して実施することができる。また、この溝及び突起部については、内側面及び外側面のいずれかのみに設けられていてもよい。
【産業上の利用可能性】
【００７５】
本発明は、人工股関節において大腿骨に一端側が埋植される棒状に形成されたステム部材として用いられる人工股関節用コンポーネントとして、広く適用することができるものである。
【図面の簡単な説明】
【００７６】
【図１】本発明の第１実施形態に係る人工股関節用コンポーネントを示す断面図であって、大腿骨及び骨盤の断面の一部とともに示した図である。
【図２】図１に示す人工股関節用コンポーネントの斜視図である。
【図３】図２に示す人工股関節用コンポーネントの左側面図、正面図、断面図、及び右側面図である。
【図４】図２に示す人工股関節用コンポーネントの軸方向における両端部分を除いた部分を模式的に示した仮想のコンポーネントを示す斜視図及び透視図である。
【図５】図４に示す仮想のコンポーネントの平面図、左側面図、正面図、右側面図、及び底面図である。
【図６】図２に示す人工股関節用コンポーネントの変形例について、その軸方向における両端部分を除いた部分を模式的に示した仮想のコンポーネントを示す斜視図及び透視図である。
【図７】図６に示す仮想のコンポーネントの平面図、左側面図、正面図、右側面図、及び底面図である。
【図８】本発明の第２実施形態に係る人工股関節用コンポーネントの斜視図である。
【図９】図８に示す人工股関節用コンポーネントの左側面図、正面図、断面図、及び右側面図である。
【図１０】本発明の第３実施形態に係る人工股関節用コンポーネントの斜視図である。
【図１１】図１０に示す人工股関節用コンポーネントの左側面図、正面図、断面図、及び右側面図である。
【図１２】本発明の第４実施形態に係る人工股関節用コンポーネントの斜視図である。
【図１３】図１２に示す人工股関節用コンポーネントの左側面図、正面図、断面図、及び右側面図である。
【図１４】本発明の第５実施形態に係る人工股関節用コンポーネントの斜視図である。
【図１５】図１４に示す人工股関節用コンポーネントの左側面図、正面図、断面図、及び右側面図である。
【符号の説明】
【００７７】
１                            人工股関節用コンポーネント
１２、１３                    一対の前後面
１４、１５                    一対の内外側面
１６、１７                    一対の近位部側前後面
１８、１９                    一対の遠位部側前後面
２０、２１                    一対の境界線
【図１】
2010051504.tif 000003
【図２】
2010051504.tif 000004
【図３】
2010051504.tif 000005
【図４】
2010051504.tif 000006
【図５】
2010051504.tif 000007
【図６】
2010051504.tif 000008
【図７】
2010051504.tif 000009
【図８】
2010051504.tif 000010
【図９】
2010051504.tif 000011
【図１０】
2010051504.tif 000012
【図１１】
2010051504.tif 000013
【図１２】
2010051504.tif 000014
【図１３】
2010051504.tif 000015
【図１４】
2010051504.tif 000016
【図１５】
2010051504.tif 000017